(57)【要約】【課題】音声付き動画ファイルとは別に音声データだけを別ファイルとして得ることのできる動画記録装置を提供する。【解決手段】音声付き動画の撮影により、ＣＣＤ２３を含む撮像系を通じて得られた動画データとマイクロホン部７および音声処理部３９を通じて得られた音声データとが画像処理部３７にて統合されて所定形式の音声付き動画ファイルが作成されメモリ３８に記録される。このメモリ３８に記録された音声付き動画ファイルを処理対象として読み出して再生し、その間にユーザの指定に従って音声データを抽出して、これをファイル化してメモリ３８に別ファイルとして記録する。【選択図】      図２
2005341114.tif 000002
【特許請求の範囲】
【請求項１】
音声付き動画ファイルが記録された第１の記録手段と、
この第１の記録手段に記録された音声付き動画ファイルから音声データを抽出する音声抽出手段と、
この音声抽出手段によって抽出された音声データに基づいて所定形式の音声ファイルを作成するファイル作成手段と、
このファイル作成手段によって作成された音声ファイルを記録する第２の記録手段と
を具備したことを特徴とする動画記録装置。
【請求項２】
前記第１の記録手段から処理対象となる音声付き動画ファイルを選択するファイル選択手段をさらに備え、
前記音声抽出手段は、前記ファイル選択手段によって選択された音声付き動画ファイルから音声データを抽出することを特徴とする請求項１記載の動画記録装置。
【請求項３】
ファイル化する音声データの範囲を指定する指定手段をさらに備え、
前記音声抽出手段は、前記音声付き動画ファイルから前記指定手段によって指定された範囲内の音声データを部分的に抽出することを特徴とする請求項１または２記載の動画記録装置。
【請求項４】
動画データに含まれる各フレームの静止画データの中でファイル化する静止画データを指定する指定手段と、
前記音声付き動画ファイルから前記指定手段によって指定されたフレームの静止画データを抽出する静止画抽出手段とをさらに備え、
前記ファイル作成手段は、前記静止画抽出手段によって抽出された静止画データに基づいて所定形式の静止画ファイルを作成し、前記音声ファイルと関連付けて前記第２の記録手段に記録することを特徴とする請求項１乃至３のいずれか１つに記載の動画記録装置。
【請求項５】
音声付き動画の撮影処理を行う撮影処理手段と、
この撮影処理手段によって得られた動画データおよび音声データに基づいて所定形式の音声付き動画ファイルを作成すると同時に、前記音声データに基づいて所定形式の音声ファイルを作成するファイル作成手段と、
このファイル作成手段によって作成された音声付き動画ファイルおよび音声ファイルを個別に記録する記録手段と
を具備したことを特徴とする動画記録装置。
【請求項６】
音声ファイルの作成を指定する指定手段をさらに備え、
前記ファイル作成手段は、前記指定手段によって音声ファイルの作成が指定されている場合に音声付き動画ファイルとは別に音声ファイルの作成処理を行うことを特徴とする請求項５記載の動画記録装置。
【請求項７】
動画記録装置に用いられるファイル作成方法であって、
第１の記録手段に記録された音声付き動画ファイルから音声データを抽出するステップと、
前記抽出された音声データに基づいて所定形式の音声ファイルを作成するステップと、
前記作成された音声ファイルを第２の記録手段に記録するステップと
を備えたことを特徴とするファイル作成方法。
【請求項８】
動画記録装置に用いられるファイル作成方法であって、
音声付き動画の撮影処理を行うステップと、
前記撮影処理によって得られた動画データおよび音声データに基づいて所定形式の音声付き動画ファイルを作成すると同時に、前記音声データに基づいて所定形式の音声ファイルを作成するステップと、
前記作成された音声付き動画ファイルおよび音声ファイルを個別に記録するステップと
を備えたことを特徴とするファイル作成方法。
【請求項９】
動画記録装置を制御するコンピュータに用いられるファイル作成のためのプログラムであって、
前記コンピュータに、
第１の記録手段に記録された音声付き動画ファイルを選択する機能と、
前記選択された音声付き動画ファイルから音声データを抽出する機能と、
前記抽出された音声データに基づいて所定形式の音声ファイルを作成する機能と、
前記作成された音声ファイルを第２の記録手段に記録する機能と
を実現させることを特徴とするプログラム。
【請求項１０】
動画記録装置を制御するコンピュータに用いられるファイル作成のためのプログラムであって、
前記コンピュータに、
音声付き動画の撮影処理を行う機能と、
前記撮影処理によって得られた動画データおよび音声データに基づいて所定形式の音声付き動画ファイルを作成すると同時に、前記音声データに基づいて所定形式の音声ファイルを作成する機能と、
前記作成された音声付き動画ファイルおよび音声ファイルを個別に記録する機能と
を実現させることを特徴とするプログラム。
【発明の詳細な説明】
【技術分野】
【０００１】
本発明は、音声付き動画の撮影機能を備えたデジタルカメラなどの撮像装置を含む動画記録装置と、この動画記録装置に用いられる音声ファイルの作成方法及びプログラムに関する。
【背景技術】
【０００２】
近年、デジタルカメラでは、メモリの大容量化や情報圧縮技術の進歩により、静止画データだけでなく、音声を含む動画データを記録できるものが増えて来た。
【０００３】
この種のデジタルカメラでは、静止画撮影モードおよび動画撮影モードを有し、スイッチ操作によるモード切替えに応じて、シャッタ操作に伴い静止画データまたは音声付きの動画データを取り込み、フラッシュメモリなどの記録媒体に記録している（例えば、特許文献１参照）。
【特許文献１】特開２００２−３００４４５号公報
【発明の開示】
【発明が解決しようとする課題】
【０００４】
しかしながら、前記動画撮影モードにおいて、音声付きの動画撮影を行うと、動画データと音声データは特定のファイル形式に従って１つのファイルに統合されて音声付き動画ファイルとして記録媒体に記録される。このため、前記記録媒体に記録されたファイルの再生には特定のファイル形式に対応した動画再生機能を必要とし、音声データの再生だけを必要とするような場合に柔軟に対応できないなどの問題があった。
【０００５】
本発明は前記のような点に鑑みなされたもので、音声付き動画ファイルとは別に音声データだけを別ファイルとして得ることのできる動画記録装置、ファイル作成方法及びプログラムを提供することを目的とする。
【課題を解決するための手段】
【０００６】
本発明の請求項１に係る動画記録装置は、音声付き動画ファイルが記録された第１の記録手段と、この第１の記録手段に記録された音声付き動画ファイルから音声データを抽出する音声抽出手段と、この音声抽出手段によって抽出された音声データに基づいて所定形式の音声ファイルを作成するファイル作成手段と、このファイル作成手段によって作成された音声ファイルを記録する第２の記録手段とを具備したことを特徴とする。
【０００７】
このような構成によれば、第１の記録手段に記録された音声付き動画撮影によって得られた音声付き動画ファイルから音声データが抽出され、その音声データに基づき所定形式の音声ファイルが別ファイルとして作成されて第２の記録手段に記録される。
【０００８】
また、本発明の請求項２は、前記請求項１記載の動画記録装置において、前記第１の記録手段から処理対象となる音声付き動画ファイルを選択するファイル選択手段をさらに備え、前記音声抽出手段は、前記ファイル選択手段によって選択された音声付き動画ファイルから音声データを抽出することを特徴とする。
【０００９】
このような構成によれば、所望の音声付き動画ファイルを選択し、その音声付き動画ファイルから音声データを抽出してファイル化することができる。
【００１０】
また、本発明の請求項３は、前記請求項１または２記載の動画記録装置において、前記ファイル化する音声データの範囲を指定する指定手段をさらに備え、前記音声抽出手段は、前記音声付き動画ファイルから前記指定手段によって指定された範囲内の音声データを部分的に抽出することを特徴とする。
【００１１】
このような構成によれば、音声付き動画ファイルに含まれる音声データの任意部分を抽出してファイル化することができる。
【００１２】
また、本発明の請求項４は、前記請求項１乃至３のいずれか１つに記載の動画記録装置において、動画データに含まれる各フレームの静止画データの中でファイル化する静止画データを指定する指定手段と、前記音声付き動画ファイルから前記指定手段によって指定されたフレームの静止画データを抽出する静止画抽出手段とをさらに備え、前記ファイル作成手段は、前記静止画抽出手段によって抽出された静止画データに基づいて所定形式の静止画ファイルを作成し、前記音声ファイルと関連付けて前記第２の記録手段に記録することを特徴とする。
【００１３】
このような構成によれば、音声付き動画ファイルから任意フレームの静止画データと音声データをそれぞれ抽出してファイル化し、これらのファイルを関連付けて記録しておくことで、音声付きの静止画データをファイルの形式で得ることができる。
【００１４】
本発明の請求項５に係る動画記録装置は、音声付き動画の撮影処理を行う撮影処理手段と、この撮影処理手段によって得られた動画データおよび音声データに基づいて所定形式の音声付き動画ファイルを作成すると同時に、前記音声データに基づいて所定形式の音声ファイルを作成するファイル作成手段と、このファイル作成手段によって作成された音声付き動画ファイルおよび音声ファイルを個別に記録する記録手段とを具備したことを特徴とする。
【００１５】
このような構成によれば、音声付き動画撮影により音声付き動画ファイルと同時に、その撮影で得られた音声データに基づいて音声ファイルが作成され、これらのファイルが個別に記録媒体に記録される。
【００１６】
また、本発明の請求項６は、前記請求項５記載の動画記録装置において、音声ファイルの作成を指定する指定手段をさらに備え、前記ファイル作成手段は、前記指定手段によって音声ファイルの作成が指定されている場合に音声付き動画ファイルとは別に音声ファイルの作成処理を行うことを特徴とする。
【００１７】
このような構成によれば、音声ファイルの作成を任意に指定することができ、その指定に従って音声付き動画ファイルとは別に音声ファイルを得ることができる。
【００１８】
本発明の請求項７に係るファイル作成方法は、動画記録装置に用いられるファイル作成方法であって、処理対象となる音声付き動画ファイルを選択するステップと、前記選択された音声付き動画ファイルから音声データを抽出するステップと、前記抽出された音声データに基づいて所定形式の音声ファイルを作成するステップと、前記作成された音声ファイルを記録するステップとを備えたことを特徴とする。
【００１９】
このようなファイル作成方法によれば、前記各ステップに従った処理を実行することにより、前記請求項１記載の発明と同様の作用効果が奏せられる。
【００２０】
本発明の請求項８に係るファイル作成方法は、動画記録装置に用いられるファイル作成方法であって、動画撮影モードを設定するステップと、前記動画撮影モードの設定に伴い、所定のタイミングで音声付き動画の撮影処理を行うステップと、前記撮影処理によって得られた動画データおよび音声データに基づいて所定形式の音声付き動画ファイルを作成すると同時に、前記音声データに基づいて所定形式の音声ファイルを作成するステップと、前記作成された音声付き動画ファイルおよび音声ファイルを個別に記録するステップとを備えたことを特徴とする。
【００２１】
このようなファイル作成方法によれば、前記各ステップに従った処理を実行することにより、前記請求項５記載の発明と同様の作用効果が奏せられる。
【００２２】
本発明の請求項９に係るプログラムは、動画記録装置を制御するコンピュータに用いられるファイル作成のためのプログラムであって、前記コンピュータに、処理対象となる音声付き動画ファイルを選択する機能と、前記選択された音声付き動画ファイルから音声データを抽出する機能と、前記抽出された音声データに基づいて所定形式の音声ファイルを作成する機能と、前記作成された音声ファイルを記録する機能とを実現させることを特徴とする。
【００２３】
したがって、コンピュータが前記各機能を実現するためのプログラムを実行することにより、前記請求項１記載の発明と同様の作用効果が奏せられる。
【００２４】
本発明の請求項１０に係るプログラムは、動画記録装置を制御するコンピュータに用いられるファイル作成のためのプログラムであって、前記コンピュータに、動画撮影モードを設定する機能と、前記動画撮影モードの設定に伴い、所定のタイミングで音声付き動画の撮影処理を行う機能と、前記撮影処理によって得られた動画データおよび音声データに基づいて所定形式の音声付き動画ファイルを作成すると同時に、前記音声データに基づいて所定形式の音声ファイルを作成する機能と、前記作成された音声付き動画ファイルおよび音声ファイルを個別に記録する機能とを実現させることを特徴とする。
【００２５】
したがって、コンピュータが前記各機能を実現するためのプログラムを実行することにより、前記請求項５記載の発明と同様の作用効果が奏せられる。
【発明の効果】
【００２６】
本発明によれば、音声付き動画データに含まれる音声データに基づいて音声ファイルを個別に作成するようにしたため、動画再生機能を必要とせずに、音声データの再生だけを行うことができる。
【発明を実施するための最良の形態】
【００２７】
以下、図面を参照して本発明の実施形態を説明する。
【００２８】
（第１の実施形態）
図１は本発明の第１の実施形態に係る画像記録装置としてデジタルカメラを例にした場合の外観構成を示す図であり、図１（ａ）は主に前面の構成、同図（ｂ）は主に背面の構成を示す斜視図である。
【００２９】
このデジタルカメラ１は、音声付きの動画を撮影可能な機能を備えた撮像装置であり、略矩形の薄板状ボディ２の前面に、撮影レンズ３、セルフタイマランプ４、光学ファインダ窓５、ストロボ発光部６、マイクロホン部７などを有し、上面の（ユーザにとって）右端側には電源キー８及びシャッタキー９などが設けられている。
【００３０】
電源キー８は、電源のオン／オフ毎に操作するキーであり、シャッタキー９は、撮影時に撮影タイミングを指示するキーである。
【００３１】
また、デジタルカメラ１の背面には、撮影モード（Ｒ）キー１０、再生モード（Ｐ）キー１１、光学ファインダ１２、スピーカ部１３、マクロキー１４、ストロボキー１５、メニュー（ＭＥＮＵ）キー１６、リングキー１７、セット（ＳＥＴ）キー１８、表示部１９などが設けられている。
【００３２】
撮影モードキー１０は、電源オフの状態から操作することで自動的に電源オンとして静止画の撮影モードに移行する一方で、電源オンの状態から繰返し操作することで、静止画モード、動画モードを循環的に設定する。静止画モードは、静止画を撮影するためのモードである。また、動画モードは、動画を撮影するためのモードであり、特に本実施形態では音声付き動画の撮影が可能であるとする。
【００３３】
前記シャッタキー９は、これらの撮影モードに共通に使用される。すなわち、静止画モードでは、シャッタキー９が押下されたときのタイミングで静止画の撮影が行われる。動画モードでは、シャッタキー９が押下されたときのタイミングで動画の撮影が開始され、シャッタキー９が再度押下されたときにその動画の撮影が終了する。
【００３４】
再生モードキー１１は、電源オフの状態から操作することで自動的に電源オンとして再生モードに移行する。
【００３５】
マクロキー１４は、静止画の撮影モードで通常撮影とマクロ撮影とを切換える際に操作する。ストロボキー１５は、ストロボ発光部６の発光モードを切換える際に操作する。メニューキー１６は、各種メニュー項目等を選択する際に操作する。リングキー１７は、上下左右各方向への項目選択用のキーが一体に形成されたものであり、このリングキー１７の中央に位置するセットキー１８は、その時点で選択されている項目を設定する際に操作する。
【００３６】
表示部１９は、バックライト付きのカラー液晶パネルで構成されるもので、撮影モード時には電子ファインダとしてスルー画像のモニタ表示を行う一方で、再生モード時には選択した画像等を再生表示する。
【００３７】
なお、図示はしないがデジタルカメラ１の底面には、記録媒体として用いられるメモリカードを着脱するためのメモリカードスロットや、外部のパーソナルコンピュータ等と接続するためのシリアルインタフェースコネクタとして、例えばＵＳＢ（Ｕｎｉｖｅｒｓａｌ  Ｓｅｒｉａｌ  Ｂｕｓ）コネクタ等が設けられているものとする。
【００３８】
図２はデジタルカメラ１の電子回路構成を示すブロック図である。
【００３９】
このデジタルカメラ１には、前記撮影レンズ３を構成する図示せぬフォーカスレンズおよびズームレンズを含むレンズ光学系２２がモータ２１の駆動により光軸方向に所定の範囲内で移動可能に設けられており、その光軸後方に撮像素子であるＣＣＤ２３が配設されている。このＣＣＤ２３は、撮影レンズ３を通過する光を受光し、その受光量に応じた画像データを取得する。
【００４０】
基本モードである記録モード時において、ＣＣＤ２３がタイミング発生器（ＴＧ）２４、ドライバ２５によって走査駆動され、一定周期毎に結像した光像に対応する光電変換出力を１画面分出力する。
【００４１】
このＣＣＤ２３の光電変換出力は、アナログ値の信号の状態でＲＧＢの各原色成分毎に適宜ゲイン調整された後に、サンプルホールド回路２６でサンプルホールドされ、Ａ／Ｄ変換器２７でデジタルデータに変換される。そして、カラープロセス回路２８において、画素補間処理及びγ補正処理を含むカラープロセス処理が行われて、デジタル値の輝度信号Ｙ及び色差信号Ｃｂ，Ｃｒが生成され、ＤＭＡ（Ｄｉｒｅｃｔ  Ｍｅｍｏｒｙ  Ａｃｃｅｓｓ）コントローラ２９に出力される。
【００４２】
ＤＭＡコントローラ２９は、カラープロセス回路２８の出力する輝度信号Ｙ及び色差信号Ｃｂ，Ｃｒを、同じくカラープロセス回路２８からの複合同期信号、メモリ書込みイネーブル信号、及びクロック信号を用いて一度ＤＭＡコントローラ２９内部のバッファに書き込み、ＤＲＡＭインタフェース（Ｉ／Ｆ）３０を介してバッファメモリとして使用されるＤＲＡＭ３１にＤＭＡ転送を行う。
【００４３】
制御部３２は、ＣＰＵと、このＣＰＵで実行される動作プログラムを記憶したＲＯＭ、及びワークメモリとして使用されるＲＡＭなどを含むマイクロコンピュータにより構成される。この制御部３２は、デジタルカメラ１全体の制御動作を司り、前記輝度及び色差信号のＤＲＡＭ３１へのＤＭＡ転送終了後に、この輝度及び色差信号をＤＲＡＭインタフェース３０を介してＤＲＡＭ３１より読み出し、ＶＲＡＭコントローラ３３を介してＶＲＡＭ３４に書き込む。
【００４４】
デジタルビデオエンコーダ３５は、前記輝度及び色差信号をＶＲＡＭコントローラ３３を介してＶＲＡＭ３４より定期的に読み出し、これらのデータを元にビデオ信号を発生して表示部１９に出力する。
【００４５】
この表示部１９は、上述した如く撮影時にはモニタ表示部（電子ファインダ）として機能するもので、デジタルビデオエンコーダ３５からのビデオ信号に基づいた表示を行うことで、その時点でＶＲＡＭコントローラ３３から取込んでいる画像情報に基づく画像をリアルタイムに表示することとなる。
【００４６】
このように、表示部１９にその時点での画像がモニタ画像としてリアルタイムに表示されている状態で、例えば静止画撮影を行いたいタイミングでシャッタキー９を押下操作すると、トリガ信号が発生する。
【００４７】
制御部３２は、このトリガ信号に応じて、その時点でＣＣＤ２３から取込んでいる１画面分の輝度及び色差信号のＤＲＡＭ３１へのＤＭＡ転送の終了後、直ちにＣＣＤ２３からのＤＲＡＭ３１への経路を停止し、記録保存の状態に遷移する。
【００４８】
この記録保存の状態では、制御部３２がＤＲＡＭ３１に書き込まれている１フレーム分の輝度及び色差信号をＤＲＡＭインタフェース３０を介してＹ，Ｃｂ，Ｃｒの各コンポーネント毎に縦８画素×横８画素の基本ブロックと呼称される単位で読み出して、画像処理部３７の内部に存在するＪＰＥＧ（Ｊｏｉｎｔ  Ｐｈｏｔｏｇｒａｐｈ  ｃｏｄｉｎｇ  Ｅｘｐｅｒｔｓ  Ｇｒｏｕｐ）処理ブロックに書き込み、この画像処理部３７でＡＤＣＴ（Ａｄａｐｔｉｖｅ  Ｄｉｓｃｒｅｔｅ  Ｃｏｓｉｎｅ  Ｔｒａｎｓｆｏｒｍ：適応離散コサイン変換）、エントロピ符号化方式であるハフマン符号化等の処理によりデータ圧縮する。
【００４９】
そして得た符号データを１画像のデータファイルとして該画像処理部３７から読み出して記録用のメモリ３８に書き込む。このメモリ３８としては、予め本体に内蔵されたフラッシュメモリ等の内部メモリの他に、記録媒体として着脱自在に装着されるメモリカードなどを含む。１フレーム分の輝度及び色差信号の圧縮処理及びメモリ３８への全圧縮データの書込み終了に伴って、制御部３２はＣＣＤ２３からＤＲＡＭ３１への経路を再び起動する。
【００５０】
制御部３２には、さらに音声処理部３９、ＵＳＢインタフェース（Ｉ／Ｆ）４０、ストロボ駆動部４１が接続される。
【００５１】
音声処理部３９は、Ａ／Ｄ変換およびＤ／Ａ変換を含む音声データの入出力処理を行うものであり、動画撮影時には動画データに同期させてマイクロホン部（ＭＩＣ）７より入力されたアナログの音声信号をデジタル化して取り込む。また、再生時には、音声付き動画データから分離された音声データをアナログ化して、デジタルカメラ１の背面側に設けられたスピーカ部（ＳＰ）１３を通じて出力する。
【００５２】
ＵＳＢインタフェース４０は、ＵＳＢコネクタを介して有線接続されるパーソナルコンピュータ等の他の情報端末装置との間で画像データ、その他の送受を行う場合の通信制御を行う。ストロボ駆動部４１は、撮影時に図示せぬストロボ用の大容量コンデンサを充電した上で、制御部３２からの制御に基づいてストロボ発光部６を閃光駆動する。
【００５３】
なお、前記キー入力部３６は、上述したシャッタキー９の他に、電源キー８、撮影モードキー１０、再生モードキー１１、マクロキー１４、ストロボキー１５、メニューキー１６、リングキー１７、セットキー１８などから構成され、それらのキー操作に伴う信号は直接制御部３２へ送出される。
【００５４】
また、静止画像ではなく動画像の撮影時においては、シャッタキー９が押下操作されたときに、上述した画像処理部３７の内部に存在する動画処理ブロックで、ＭＰＥＧ（Ｍｏｖｉｎｇ  Ｐｉｃｔｕｒｅ  Ｅｘｐｅｒｔ  Ｇｒｏｕｐ）またはｍｏｔｉｏｎ−ＪＰＥＧ（Ｊｏｉｎｔ  Ｐｈｏｔｏｇｒａｐｈｉｃ  Ｅｘｐｅｒｔｓ  Ｇｒｏｕｐ）などの手法により撮影動画をデータ圧縮してメモリ３８へ記録する。この場合、音声付き動画撮影であれば、圧縮された動画データに音声データが統合されて音声付き動画ファイルとしてメモリ３８に記録される。再度シャッタキー９が操作されると、動画データの記録を終了する。
【００５５】
一方、基本モードである再生モード時には、制御部３２がメモリ３８に記録されている画像データを選択的に読み出し、画像処理部３７で記録モード時にデータ圧縮した手順と全く逆の手順で、圧縮されている画像データを伸長する。そして、この伸長した画像データをＤＲＡＭインタフェース３０を介してＤＲＡＭ３１に保持させた上で、このＤＲＡＭ３１の保持内容をＶＲＡＭコントローラ３３を介してＶＲＡＭ３４に記憶させ、このＶＲＡＭ３４より定期的に画像データを読み出してビデオ信号を発生し、表示部１９で再生出力させる。
【００５６】
選択した画像データが静止画像ではなく動画像であった場合には、その動画データを構成する複数フレームの静止画データを時系列の順で順次再生して表示し、すべての静止画データの再生を終了した時点で、例えば、次に再生の指示がなされるまで先頭に位置する静止画データを表示するなどを行う。
【００５７】
次に、第１の実施形態の動作について説明する。
【００５８】
なお、以下の各フローチャートで示される処理は、デジタルカメラ１に搭載されたマイクロコンピュータである制御部３２がＲＯＭ等に記憶されたプログラムを読み込むことにより実行される。後述する他の実施形態の処理についても同様であり、制御部３２がこれらの処理を実現するためのプログラムを読み込むことで実行される。
【００５９】
（動画撮影処理）
まず、音声付き動画の撮影処理について説明する。
【００６０】
図３は本発明の第１の実施形態におけるデジタルカメラ１の音声付き動画の撮影処理の動作を示すフローチャートである。
【００６１】
撮影モードキー１０の操作により動画撮影モードが設定されると（ステップＡ１１のＹｅｓ）、制御部３２は、シャッタキー９が押下操作されたときのタイミングで（ステップＡ１２のＹｅｓ）、音声付き動画の撮影処理を開始する（ステップＡ１３）。
【００６２】
この音声付き動画の撮影処理では、ＣＣＤ２３を含む撮像系を通じて得られる動画データを画像処理部３７にて順次圧縮処理すると共に、そのときにマイクロホン部７および音声処理部３９を通じて得られる音声データを当該動画データに統合する。そして、例えばＡＶＩ（Ａｕｄｉｏ  Ｖｉｓｕａｌ  Ｉｎｔｅｒｌｅａｖｅ）などの所定のファイルフォーマットに従って音声付き動画ファイルを作成し、これをメモリ３８に記録する（ステップＡ１４）。
【００６３】
この撮影処理はシャッタキー９が再度押下されるまでの間、継続して行われる。そして、シャッタキー９が再度押下されると（ステップＡ１５のＹｅｓ）、制御部３２はそれを検知することで、ここでの撮影処理を終了する。
【００６４】
（音声ファイル作成処理）
次に、音声ファイル作成処理について説明する。
【００６５】
図４は同実施形態におけるデジタルカメラ１の音声ファイル作成処理の動作を示すフローチャートである。この音声ファイル作成処理は、例えばメニューキー１６の操作により「音声ファイル作成モード」を選択することで実行される。
【００６６】
「音声ファイル作成モード」の選択に伴い、制御部３２は、まず、メモリ３８に現在記録されている音声付き動画ファイルのリストを表示部１９に表示するなどして、ユーザに処理対象となる音声付き動画ファイルを選択させる（ステップＢ１１）。なお、ファイルリストの表示方法やファイルの選択方法については特に限定されるものではなく、一般的な方法を用いるものとする。
【００６７】
処理対象となる音声付き動画ファイルが選択されると、制御部３２は、その選択された音声付き動画ファイルを構成する動画データおよび音声データの再生処理を行う（ステップＢ１２）。この場合、動画データについては、その動画データを構成する複数枚の静止画データを所定のフレームレートで表示部１９に表示しながら、その画像表示に同期させて音声データを音声処理部３９を通じてスピーカ部１３から出力する。
【００６８】
ここで、前記「音声ファイル作成モード」には、音声付き静止画ファイルを作成するための機能（以下、音声付き静止画ファイル作成機能と称す）と、音声データの任意部分を指定してファイル化するための機能（以下、音声部分指定機能と称す）が備えられている。ユーザは「音声ファイル作成モード」の設定時にこれらの機能を任意に選択しておくことができる。
【００６９】
上述した音声付き静止画ファイル作成機能および音声部分指定機能が選択されていない場合には（ステップＢ１３のＮｏ，ステップＢ１４のＮｏ）、制御部３２は、再生中の音声付き動画ファイルに含まれる音声データの全範囲を抽出対象として音声データを抽出する（ステップＢ１５）。そして、制御部３２は、この抽出した音声データを所定の形式でファイル化することにより、その音声ファイルをユーザにより指定されたファイル名に従ってメモリ３８に記録する（ステップＢ１７）。
【００７０】
また、音声部分指定機能が選択されている場合には（ステップＢ１４のＹｅｓ）、制御部３２は、再生中の音声付き動画ファイルからユーザにより指定された範囲内の音声データを部分的に抽出する（ステップＢ１６）。
【００７１】
なお、このときの指定方法としては、音声再生中に音声部分指定用として割り付けられた特定のキー（例えばセットキー１８）を押下することで、そのキーが押下されている期間中の音声データを抽出する方法などがある。
【００７２】
制御部３２は、このようにして部分的に抽出した音声データを前記同様に所定の形式でファイル化することにより、その音声ファイルをユーザにより指定されたファイル名に従ってメモリ３８に記録する（ステップＢ１７）。
【００７３】
一方、音声付き静止画ファイル作成機能が選択されている場合には（ステップＢ１３のＹｅｓ）、制御部３２は、再生中の音声付き動画ファイルの動画データからユーザにより指定されたフレームの静止画データを抽出する（ステップＢ１８）。
【００７４】
なお、このときの指定方法としては、動画再生中に静止画指定用として割り付けられた特定のキー（例えばシャッタキー９）を押下することで、そのキーの押下タイミングで静止画データを抽出する方法などがある。
【００７５】
その際、音声部分指定機能が選択されていない場合には（ステップＢ１９のＮｏ）、制御部３２は、再生中の音声付き動画ファイルに含まれる音声データの全範囲を抽出対象として音声データを抽出する（ステップＢ２０）。そして、制御部３２は、前記ステップＢ１８で抽出した静止画データと前記ステップＢ２０で抽出した音声データをそれぞれ所定の形式でファイル化し、その静止画ファイルおよび音声ファイルをユーザにより指定された共通のファイル名を用いて互いに関連付けてメモリ３８に記録する（ステップＢ２２）。
【００７６】
また、音声部分指定機能が選択されている場合には（ステップＢ１９のＹｅｓ）、制御部３２は、再生中の音声付き動画ファイルからユーザにより指定された範囲内の音声データを部分的に抽出する（ステップＢ２１）。そして、制御部３２は、前記ステップＢ１８で抽出した静止画データと前記ステップＢ２１で部分的に抽出した音声データをそれぞれ所定の形式でファイル化し、その静止画ファイルおよび音声ファイルをユーザにより指定された共通のファイル名を用いて互いに関連付けてメモリ３８に記録する（ステップＢ２２）。
【００７７】
図５はメモリ３８内の各ファイルの関係を示す図である。
【００７８】
今、メモリ３８に既に記録されている音声付き動画ファイル「20040501.aaa」を処理対象として説明する。なお、ファイル名「20040501」に付加されている「aaa」は音声付き動画ファイルの拡張子を示すものとする。
【００７９】
この音声付き動画ファイル「20040501.aaa」には、ヘッダ情報と共に動画データと音声データが含まれている。また、動画データは時系列順に並んだ複数の静止画データから構成されている。この音声付き動画ファイルの再生中に当該ファイルから音声データが抽出され、その音声データが所定の形式でファイル化されてメモリ３８に別ファイルとして記録される。
【００８０】
図中の「20040502.bbb」が前記音声付き動画ファイル「20040501.aaa」から作成された音声ファイルである。ファイル名「20040502」はユーザにより任意に指定される。また、「bbb」は音声ファイルの拡張子である。
【００８１】
一方、「静止画ファイル＋音声ファイル」を作成する場合には、音声付き動画ファイル「20040501.aaa」から任意フレームの静止画データが抽出され、その静止画データが所定の形式でファイル化されると共に、音声付き動画ファイル「20040501.aaa」から音声データが抽出されて所定の形式でファイル化される。そして、これらのファイルに共通のファイル名が用いられてメモリ３８に記録される。
【００８２】
図中の「20040503.ccc」と「20040503.bbb」が前記音声付き動画ファイル「20040501.aaa」から作成された静止画ファイルと音声ファイルである。ファイル名「20040503」はユーザにより任意に指定され、両ファイルに共通に使用される。また、「bbb」は音声ファイルの拡張子、「ccc」は静止画ファイルの拡張子である。この場合、静止画ファイルと音声ファイルのファイル名を共通にしておくことで、これらのファイルを１つの音声付き静止画データとして管理しておくことができ、再生の際に、前記ファイル名「20040503」に従って静止画ファイルと音声ファイルを同時に読み出して再生することができる。
【００８３】
このように、音声付き動画撮影によって得られた音声付き動画ファイルから音声データを抽出し、その音声データに基づいて音声ファイルを別ファイルとして作成するようにしたため、動画再生機能を必要とせずに、音声データの再生だけを行うことができる。したがって、例えば動画再生機能を持たない携帯電話などの他の機器に持ち込んで、音声データを再生するような場合に便利である。
【００８４】
また、音声付き動画ファイルから任意フレームの静止画データと音声データをそれぞれ抽出してファイル化し、これらのファイルを関連付けて記録しておくことで、音声付きの静止画データをファイルの形式で得ることができる。
【００８５】
なお、ここでは、音声付き動画ファイルを元にして作成した音声ファイルや、音声付き静止画データを構成する静止画ファイルと音声ファイルを当該音声付き動画ファイルと同じメモリ３８に記録するものとして説明したが、これらの作成ファイルを別の記録媒体に記録することでも良い。
【００８６】
また、このデジタルカメラ１の撮影処理によって得られた音声付き動画ファイルを処理対象として用いて音声ファイルの作成処理を行うようにしたが、例えば外部端末から任意の音声付き動画ファイルを取得し、その音声付き動画ファイルを用いて音声ファイルを作成することも可能である。
【００８７】
（第２の実施形態）
次に、本発明の第２の実施形態について説明する。
【００８８】
前記第１の実施形態では、既存の音声付き動画ファイルを用いて音声ファイルを作成するものとしたが、第２の実施形態では、音声付き動画の撮影中に音声ファイルを同時に作成することを特徴とする。
【００８９】
なお、装置構成について前記第１の実施形態と同様であるため、ここでは処理的に異なる点について説明する。
【００９０】
図６は本発明の第２の実施形態におけるデジタルカメラ１の音声付き動画の撮影処理の動作を示すフローチャートである。
【００９１】
撮影モードキー１０の操作により動画撮影モードが設定されると（ステップＣ１１のＹｅｓ）、制御部３２は、音声ファイルを作成するか否かを判断する（ステップＣ１２）。これは、例えば動画撮影モードの設定時にメニュー画面を表示することで、音声ファイルの作成有無をユーザに選択させることで実現する。
【００９２】
音声ファイルを作成しない場合、つまり、前記メニュー画面にてユーザが音声ファイルの作成を選択しなかった場合には（ステップＣ１２のＮｏ）、制御部３２は、図３に示したような通常の撮影処理により音声付き動画ファイルのみを作成し、これをメモリ３８に記録する（ステップＣ１３）。
【００９３】
一方、音声ファイルを作成する場合、つまり、前記メニュー画面にてユーザが音声ファイルの作成を選択した場合には（ステップＣ１２のＹｅｓ）、制御部３２は、音声付き動画ファイルとは別に音声ファイルの作成処理を同時に行う。
【００９４】
すなわち、制御部３２は、シャッタキー９が押下操作されたときのタイミングで（ステップＣ１４のＹｅｓ）、音声付き動画の撮影処理を開始する（ステップＣ１５）。
【００９５】
上述したように、この音声付き動画の撮影処理では、ＣＣＤ２３を含む撮像系を通じて得られる動画データを画像処理部３７にて順次圧縮処理すると共に、そのときにマイクロホン部７および音声処理部３９を通じて得られる音声データを当該動画データに統合する。そして、例えばＡＶＩなどの所定のファイルフォーマットに従って音声付き動画ファイルを作成し、これをメモリ３８に記録する（ステップＣ１６）。
【００９６】
さらに、この音声付き動画ファイルの作成と同時に、前記音声データに基づいて所定形式の音声ファイルを作成し、この音声ファイルを前記音声付き動画ファイルとは別のファイルとしてメモリ３８に記録する（ステップＣ１７）。この場合、メモリ３８には、例えば音声付き動画ファイル「20040501.aaa」と音声ファイル「20040501.bbb」といったように、２種類のファイルが個別に作成されることになる。
【００９７】
この撮影処理はシャッタキー９が再度押下されるまでの間、継続して行われる。そして、シャッタキー９が再度押下されると（ステップＣ１８のＹｅｓ）、制御部３２はそれを検知することで、ここでの撮影処理を終了する。
【００９８】
このように、音声付き動画の撮影時において、音声付き動画ファイルと同時に音声ファイルを得ることができるので、前記第１の実施形態の効果に加え、音声付き動画ファイルから音声ファイルを作成する手間が省けるといった利点がある。
【００９９】
なお、前記各実施形態では、デジタルカメラを例にして説明したが、本発明はこれに限らず、例えばカメラ付きの携帯電話機など、撮像機能を備えた電子機器であれば、その全ても適用可能である。さらに、前記第１の実施形態のように、既存の音声付き動画データから音声ファイルを作成する手法に関しては、特に撮像機能を必要とせず、例えばパーソナルコンピュータやＰＤＡ（Personal Digital Assistant）など、少なくとも動画データの記録機能を備えていれば、どのような装置であっても良い。
【０１００】
その他、本発明は前記各実施形態そのままに限定されるものではなく、実施段階ではその要旨を逸脱しない範囲で構成要素を変形して具体化できる。また、前記各実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【０１０１】
また、上述した実施形態において記載した手法は、コンピュータに実行させることのできるプログラムとして、例えば磁気ディスク（フレキシブルディスク、ハードディスク等）、光ディスク（ＣＤ−ＲＯＭ、ＤＶＤ等）、半導体メモリなどの記録媒体に書き込んで各種装置に適用したり、そのプログラム自体をネットワーク等の伝送媒体により伝送して各種装置に適用することも可能である。本装置を実現するコンピュータは、記録媒体に記録されたプログラムあるいは伝送媒体を介して提供されたプログラムを読み込み、このプログラムによって動作が制御されることにより、上述した処理を実行する。
【図面の簡単な説明】
【０１０２】
【図１】本発明の第１の実施形態に係る画像記録装置としてデジタルカメラを例にした場合の外観構成を示す図であり、図１（ａ）は主に前面の構成、同図（ｂ）は主に背面の構成を示す斜視図。
【図２】同実施形態におけるデジタルカメラの電子回路構成を示すブロック図。
【図３】同実施形態におけるデジタルカメラの音声付き動画の撮影処理の動作を示すフローチャート。
【図４】同実施形態におけるデジタルカメラの音声ファイル作成処理の動作を示すフローチャート。
【図５】同実施形態におけるデジタルカメラに設けられたメモリ内の各ファイルの関係を示す図。
【図６】本発明の第２の実施形態におけるデジタルカメラの音声付き動画の撮影処理の動作を示すフローチャート。
【符号の説明】
【０１０３】
１…デジタルカメラ、２…ボディ、３…撮影レンズ、４…セルフタイマランプ、５…光学ファインダ窓、６…ストロボ発光部、７…マイクロホン部、８…電源キー、９…シャッタキー、１０…撮影モードキー、１１…再生モードキー、１２…光学ファインダ、１３…スピーカ部、１４…マクロキー、１５…ストロボキー、１６…メニュー（ＭＥＮＵ）キー、１７…リングキー、１８…セット（ＳＥＴ）キー、１９…表示部、２１…モータ、２２…レンズ光学系、２３…ＣＣＤ、２４…タイミング発生器（ＴＧ）、２５…ドライバ、２６…サンプルホールド回路（Ｓ／Ｈ）、２７…Ａ／Ｄ変換器、２８…カラープロセス回路、２９…ＤＭＡコントローラ、３０…ＤＲＡＭインタフェース（Ｉ／Ｆ）、３１…ＤＲＡＭ、３２…制御部、３３…ＶＲＡＭコントローラ、３４…ＶＲＡＭ、３５…デジタルビデオエンコーダ、３６…キー入力部、３７…画像処理部、３８…メモリ、３９…音声処理部、４０…ＵＳＢインタフェース（Ｉ／Ｆ）、４１…ストロボ駆動部。
【図１】
2005341114.tif 000003
【図２】
2005341114.tif 000004
【図３】
2005341114.tif 000005
【図４】
2005341114.tif 000006
【図５】
2005341114.tif 000007
【図６】
2005341114.tif 000008